(57)【要約】【課題】光源7,8,9に対する給電構造を簡素化すると共に、光源7,8,9からの光の利用効率を向上させる。【解決手段】光源7からの光を導光する導光部材1と、光源8,9からの光を導光する導光部材2とを照明装置100の中心軸線方向に積層して配列し、導光部材1に導光された光が導光部材1の外周面1aから出射し、導光部材2に導光された光が導光部材2の外周面2aから出射する照明装置100において、貫通穴3を導光部材1に形成し、導光部材1の端面1bに対面させて光源7を配置し、貫通穴3を隔てて導光部材2の端面2bに対面させて光源8,9を配置し、導光部材1の内周面1dに反射手段5を設け、光源8,9からの光が貫通穴3を透過せしめられ、導光部材2の端面2bを介して導光部材2に入射し、光源8,9からの光のうち、導光部材1の内周面1dに到達した光が反射手段5によって反射される。【選択図】図１
2011070808.tif 000002
【特許請求の範囲】
【請求項１】
第１光源（７）からの光を導光する第１導光部材（１）と、第２光源（８，９）からの光を導光する第２導光部材（２）とを照明装置（１００）の中心軸線方向に積層して配列し、
第１導光部材（１）によって導光された光が第１導光部材（１）の外周面（１ａ）から出射し、第２導光部材（２）によって導光された光が第２導光部材（２）の外周面（２ａ）から出射するように構成された照明装置（１００）において、
第１導光部材（１）の一方の端面（１ｂ）と他方の端面（１ｃ）との間に延びている貫通穴（３）を第１導光部材（１）に形成し、
第１導光部材（１）の一方の端面（１ｂ）に対面させて第１光源（７）を配置し、
第１導光部材（１）の貫通穴（３）を隔てて第２導光部材（２）の一方の端面（２ｂ）に対面させて第２光源（８，９）を配置し、
第１光源（７）からの光が第１導光部材（１）の一方の端面（１ｂ）を介して第１導光部材（１）に入射し、
第２光源（８，９）からの光が、第１導光部材（１）の貫通穴（３）を透過せしめられ、第２導光部材（２）の一方の端面（２ｂ）を介して第２導光部材（２）に入射し、
第１導光部材（１）の内周面（１ｄ）に第１反射手段（５）を設け、
第１光源（７）からの光のうち、第１導光部材（１）の内周面（１ｄ）に到達した光が、第１反射手段（５）によって第１導光部材（１）の外周面（１ａ）の側に反射され、
第２光源（８，９）からの光のうち、第１導光部材（１）の内周面（１ｄ）に到達した光が、第１反射手段（５）によって第２導光部材（２）の一方の端面（２ｂ）の側に反射されることを特徴とする照明装置（１００）。
【請求項２】
第１光源（７）と第２光源（８，９）とを同一平面上に配置したことを特徴とする請求項１に記載の照明装置（１００）。
【請求項３】
第１光源（７）が発する色と第２光源（８，９）が発する色とを異ならせ、
第１導光部材（１）の他方の端面（１ｃ）と第２導光部材（２）の一方の端面（２ｂ）の一部とを接合するための受け台（１１）を第１導光部材（１）の他方の端面（１ｃ）と第２導光部材（２）の一方の端面（２ｂ）の一部との間に配置し、
受け台（１１）の少なくとも一部を遮光性材料によって形成することにより、第１導光部材（１）によって導光された光と第２導光部材（２）によって導光された光とが混ざり合うことを阻止することを特徴とする請求項１又は２に記載の照明装置（１００）。
【請求項４】
受け台（１１）の表面のうち、第１導光部材（１）の他方の端面（１ｃ）に対面する部分が、第１導光部材（１）によって導光された光を反射することができるように、かつ、受け台（１１）の表面のうち、第２導光部材（２）の一方の端面（２ｂ）に対面する部分が、第２導光部材（２）によって導光された光を反射することができるように、受け台（１１）を形成したことを特徴とする請求項３に記載の照明装置（１００）。
【請求項５】
第２導光部材（２）の一方の端面（２ｂ）と他方の端面（２ｃ）との間に延びている貫通穴（４）を第２導光部材（２）に形成し、
第２導光部材（２）の貫通穴（４）の径を第１導光部材（１）の貫通穴（３）の径以下とし、
第２導光部材（２）の貫通穴（４）の中心軸線と第１導光部材（１）の貫通穴（３）の中心軸線とをほぼ一致させ、
第２導光部材（２）の他方の端面（２ｃ）との間に隙間（２０）を有するように第２反射手段（１０）を配置し、
第２光源（８，９）からの光の一部が、第１導光部材（１）の貫通穴（３）および第２導光部材（２）の貫通穴（４）を透過せしめられ、第２反射手段（１０）によって反射され、第２反射手段（１０）と第２導光部材（２）の他方の端面（２ｃ）との間の隙間（２０）および第２導光部材（２）の他方の端面（２ｃ）を介して第２導光部材（２）に入射することを特徴とする請求項１〜４のいずれか一項に記載の照明装置（１００）。
【請求項６】
第２導光部材（２）の内周面（２ｄ）に第３反射手段（６）を設け、
第２光源（８，９）からの光のうち、第２導光部材（２）の貫通穴（４）を介して第２導光部材（２）の内周面（２ｄ）に到達した光が、第３反射手段（６）によって第２導光部材（２）の他方の端面（２ｃ）の側に反射され、
第２導光部材（２）の一方の端面（２ｂ）からの光のうち、第２導光部材（２）の内周面（２ｄ）に到達した光が、第３反射手段（６）によって第２導光部材（２）の外周面（２ａ）の側に反射され、
第２導光部材（２）の他方の端面（２ｃ）からの光のうち、第２導光部材（２）の内周面（２ｄ）に到達した光が、第３反射手段（６）によって第２導光部材（２）の外周面（２ａ）の側に反射されることを特徴とする請求項５に記載の照明装置（１００）。
【請求項７】
第１導光部材（１）および第２導光部材（２）を無色の材料によって形成し、
第１反射手段（５）および第３反射手段（６）を乳白色の材料によって形成するか、あるいは、第１反射手段（５）および第３反射手段（６）の表面を乳白色に着色したことを特徴とする請求項６に記載の照明装置（１００）。
【発明の詳細な説明】
【技術分野】
【０００１】
本発明は、第１光源からの光を導光する第１導光部材と第２光源からの光を導光する第２導光部材とが照明装置の中心軸線方向に積層して配列された照明装置に関し、特には、第１光源および第２光源に対する給電構造を簡素化すると共に、第１光源および第２光源からの光の利用効率を向上させることができる照明装置に関する。
【背景技術】
【０００２】
従来から、第１光源からの光を導光する第１導光部材（レンズ部品）と第２光源からの光を導光する第２導光部材（レンズ部品）とが照明装置の中心軸線方向に積層して配列され、第１導光部材（レンズ部品）によって導光された光が第１導光部材（レンズ部品）の外周面から出射し、第２導光部材（レンズ部品）によって導光された光が第２導光部材（レンズ部品）の外周面から出射するように構成された照明装置が知られている。この種の照明装置の例としては、例えば特許文献１（特開２００６−１００２４２公報）の図１、図２などに記載されたものがある。
【０００３】
特許文献１に記載された照明装置では、第１光源、第１導光部材（レンズ部品）、第１光源を支持する第１回路基板などによって第１表示ユニットが構成され、第２光源、第２導光部材（レンズ部品）、第２光源を支持する第２回路基板などによって第２表示ユニットが構成されている。更に、第１表示ユニットおよび第２表示ユニットが互いに同様に構成されている。
【０００４】
つまり、特許文献１に記載された照明装置では、第１導光部材（レンズ部品）が光って見えるようにするための第１光源と第２導光部材（レンズ部品）が光って見えるようにするための第２光源とが別個の回路基板に搭載され、互いに離間して配置されている。そのため、特許文献１に記載された照明装置では、第１光源に電力を供給するために電源と第１回路基板とを接続しなければならず、更に、第２光源に電力を供給するために電源と第２回路基板とを接続しなければならない。
【先行技術文献】
【特許文献】
【０００５】
【特許文献１】特開２００６−１００２４２公報
【発明の概要】
【発明が解決しようとする課題】
【０００６】
前記問題点に鑑み、本発明は、第１光源および第２光源に対する給電構造を簡素化することができる照明装置を提供することを目的とする。
【０００７】
詳細には、本発明は、第１光源および第２光源に対する給電構造を簡素化すると共に、第１光源および第２光源からの光の利用効率を向上させることができる照明装置を提供することを目的とする。
【課題を解決するための手段】
【０００８】
請求項１に記載の発明によれば、第１光源（７）からの光を導光する第１導光部材（１）と、第２光源（８，９）からの光を導光する第２導光部材（２）とを照明装置（１００）の中心軸線方向に積層して配列し、
第１導光部材（１）によって導光された光が第１導光部材（１）の外周面（１ａ）から出射し、第２導光部材（２）によって導光された光が第２導光部材（２）の外周面（２ａ）から出射するように構成された照明装置（１００）において、
第１導光部材（１）の一方の端面（１ｂ）と他方の端面（１ｃ）との間に延びている貫通穴（３）を第１導光部材（１）に形成し、
第１導光部材（１）の一方の端面（１ｂ）に対面させて第１光源（７）を配置し、
第１導光部材（１）の貫通穴（３）を隔てて第２導光部材（２）の一方の端面（２ｂ）に対面させて第２光源（８，９）を配置し、
第１光源（７）からの光が第１導光部材（１）の一方の端面（１ｂ）を介して第１導光部材（１）に入射し、
第２光源（８，９）からの光が、第１導光部材（１）の貫通穴（３）を透過せしめられ、第２導光部材（２）の一方の端面（２ｂ）を介して第２導光部材（２）に入射し、
第１導光部材（１）の内周面（１ｄ）に第１反射手段（５）を設け、
第１光源（７）からの光のうち、第１導光部材（１）の内周面（１ｄ）に到達した光が、第１反射手段（５）によって第１導光部材（１）の外周面（１ａ）の側に反射され、
第２光源（８，９）からの光のうち、第１導光部材（１）の内周面（１ｄ）に到達した光が、第１反射手段（５）によって第２導光部材（２）の一方の端面（２ｂ）の側に反射されることを特徴とする照明装置（１００）が提供される。
【０００９】
請求項２に記載の発明によれば、第１光源（７）と第２光源（８，９）とを同一平面上に配置したことを特徴とする請求項１に記載の照明装置（１００）が提供される。
【００１０】
請求項３に記載の発明によれば、第１光源（７）が発する色と第２光源（８，９）が発する色とを異ならせ、
第１導光部材（１）の他方の端面（１ｃ）と第２導光部材（２）の一方の端面（２ｂ）の一部とを接合するための受け台（１１）を第１導光部材（１）の他方の端面（１ｃ）と第２導光部材（２）の一方の端面（２ｂ）の一部との間に配置し、
受け台（１１）の少なくとも一部を遮光性材料によって形成することにより、第１導光部材（１）によって導光された光と第２導光部材（２）によって導光された光とが混ざり合うことを阻止することを特徴とする請求項１又は２に記載の照明装置（１００）が提供される。
【００１１】
請求項４に記載の発明によれば、受け台（１１）の表面のうち、第１導光部材（１）の他方の端面（１ｃ）に対面する部分が、第１導光部材（１）によって導光された光を反射することができるように、かつ、受け台（１１）の表面のうち、第２導光部材（２）の一方の端面（２ｂ）に対面する部分が、第２導光部材（２）によって導光された光を反射することができるように、受け台（１１）を形成したことを特徴とする請求項３に記載の照明装置（１００）が提供される。
【００１２】
請求項５に記載の発明によれば、第２導光部材（２）の一方の端面（２ｂ）と他方の端面（２ｃ）との間に延びている貫通穴（４）を第２導光部材（２）に形成し、
第２導光部材（２）の貫通穴（４）の径を第１導光部材（１）の貫通穴（３）の径以下とし、
第２導光部材（２）の貫通穴（４）の中心軸線と第１導光部材（１）の貫通穴（３）の中心軸線とをほぼ一致させ、
第２導光部材（２）の他方の端面（２ｃ）との間に隙間（２０）を有するように第２反射手段（１０）を配置し、
第２光源（８，９）からの光の一部が、第１導光部材（１）の貫通穴（３）および第２導光部材（２）の貫通穴（４）を透過せしめられ、第２反射手段（１０）によって反射され、第２反射手段（１０）と第２導光部材（２）の他方の端面（２ｃ）との間の隙間（２０）および第２導光部材（２）の他方の端面（２ｃ）を介して第２導光部材（２）に入射することを特徴とする請求項１〜４のいずれか一項に記載の照明装置（１００）が提供される。
【００１３】
請求項６に記載の発明によれば、第２導光部材（２）の内周面（２ｄ）に第３反射手段（６）を設け、
第２光源（８，９）からの光のうち、第２導光部材（２）の貫通穴（４）を介して第２導光部材（２）の内周面（２ｄ）に到達した光が、第３反射手段（６）によって第２導光部材（２）の他方の端面（２ｃ）の側に反射され、
第２導光部材（２）の一方の端面（２ｂ）からの光のうち、第２導光部材（２）の内周面（２ｄ）に到達した光が、第３反射手段（６）によって第２導光部材（２）の外周面（２ａ）の側に反射され、
第２導光部材（２）の他方の端面（２ｃ）からの光のうち、第２導光部材（２）の内周面（２ｄ）に到達した光が、第３反射手段（６）によって第２導光部材（２）の外周面（２ａ）の側に反射されることを特徴とする請求項５に記載の照明装置（１００）が提供される。
【００１４】
請求項７に記載の発明によれば、第１導光部材（１）および第２導光部材（２）を無色の材料によって形成し、
第１反射手段（５）および第３反射手段（６）を乳白色の材料によって形成するか、あるいは、第１反射手段（５）および第３反射手段（６）の表面を乳白色に着色したことを特徴とする請求項６に記載の照明装置（１００）が提供される。
【発明の効果】
【００１５】
請求項１に記載の照明装置（１００）では、第１光源（７）からの光を導光する第１導光部材（１）と、第２光源（８，９）からの光を導光する第２導光部材（２）とが、照明装置（１００）の中心軸線方向に積層して配列されている。
【００１６】
詳細には、請求項１に記載の照明装置（１００）では、第１導光部材（１）の一方の端面（１ｂ）と他方の端面（１ｃ）との間に延びている貫通穴（３）が、第１導光部材（１）に形成されている。更に、第１光源（７）が、第１導光部材（１）の一方の端面（１ｂ）に対面して配置されている。また、第２光源（８，９）が、第１導光部材（１）の貫通穴（３）を隔てて第２導光部材（２）の一方の端面（２ｂ）に対面して配置されている。
【００１７】
そのため、請求項１に記載の照明装置（１００）では、第１光源（７）からの光が第１導光部材（１）の一方の端面（１ｂ）を介して第１導光部材（１）に入射する。次いで、第１導光部材（１）によって導光された光が第１導光部材（１）の外周面（１ａ）から出射する。また、第２光源（８，９）からの光が、第１導光部材（１）の貫通穴（３）を透過せしめられ、第２導光部材（２）の一方の端面（２ｂ）を介して第２導光部材（２）に入射する。次いで、第２導光部材（２）によって導光された光が第２導光部材（２）の外周面（２ａ）から出射する。
【００１８】
換言すれば、請求項１に記載の照明装置（１００）では、第２光源（８，９）と第２導光部材（２）の一方の端面（２ｂ）との間に第１導光部材（１）の貫通穴（３）が配置され、第２光源（８，９）と第２導光部材（２）の一方の端面（２ｂ）とが離間せしめられている。
【００１９】
そのため、請求項１に記載の照明装置（１００）によれば、第１導光部材（１）が光って見えるようにするための第１光源（７）と第２導光部材（２）が光って見えるようにするための第２光源（８，９）とを近接させて配置することができる。
【００２０】
つまり、請求項１に記載の照明装置（１００）によれば、第１導光部材（１）が光って見えるようにするための第１光源（７）と第２導光部材（２）が光って見えるようにするための第２光源（８，９）とが照明装置（１００）の中心軸線方向に離間せしめられている例えば特許文献１（特開２００６−１００２４２公報）の段落〔００１１〕、図１および図２に記載された照明装置よりも、第１光源（７）および第２光源（８，９）に対する給電構造を簡素化することができる。
【００２１】
更に、請求項１に記載の照明装置（１００）では、第１導光部材（１）の内周面（１ｄ）に第１反射手段（５）が設けられている。また、第１光源（７）からの光のうち、第１導光部材（１）の内周面（１ｄ）に到達した光が、第１反射手段（５）によって第１導光部材（１）の外周面（１ａ）の側に反射される。更に、第２光源（８，９）からの光のうち、第１導光部材（１）の内周面（１ｄ）に到達した光が、第１反射手段（５）によって第２導光部材（２）の一方の端面（２ｂ）の側に反射される。
【００２２】
そのため、請求項１に記載の照明装置（１００）によれば、第１導光部材（１）の内周面（１ｄ）に到達した第１光源（７）からの光が第１導光部材（１）の内周面（１ｄ）に吸収されてしまう場合や、第１導光部材（１）の内周面（１ｄ）に到達した第２光源（８，９）からの光が第１導光部材（１）の内周面（１ｄ）に吸収されてしまう場合よりも、第１光源（７）および第２光源（８，９）からの光の利用効率を向上させることができる。
【００２３】
すなわち、請求項１に記載の照明装置（１００）によれば、第１光源（７）および第２光源（８，９）に対する給電構造を簡素化すると共に、第１光源（７）および第２光源（８，９）からの光の利用効率を向上させることができる。
【００２４】
請求項２に記載の照明装置（１００）では、第１光源（７）と第２光源（８，９）とが同一平面上に配置されている。そのため、請求項２に記載の照明装置（１００）によれば、第１光源（７）と第２光源（８，９）とが異なる平面上に配置されている場合よりも、第１光源（７）および第２光源（８，９）に対する給電構造を簡素化することができる。つまり、請求項２に記載の照明装置（１００）によれば、フレキシブル基板を用いることなく、第１光源（７）と第２光源（８，９）とを同一の回路基板（１４）に搭載することができる。
【００２５】
請求項３に記載の照明装置（１００）では、第１光源（７）が発する色と第２光源（８，９）が発する色とが異ならされている。更に、第１導光部材（１）の他方の端面（１ｃ）と第２導光部材（２）の一方の端面（２ｂ）の一部とを接合するための受け台（１１）が、第１導光部材（１）の他方の端面（１ｃ）と第２導光部材（２）の一方の端面（２ｂ）の一部との間に配置されている。
【００２６】
また、請求項３に記載の照明装置（１００）では、受け台（１１）の少なくとも一部が遮光性材料によって形成され、それにより、第１導光部材（１）によって導光された光と第２導光部材（２）によって導光された光とが混ざり合うことが阻止される。
【００２７】
そのため、請求項３に記載の照明装置（１００）によれば、第１光源（７）が発する色と第２光源（８，９）が発する色とが混ざってしまうことを回避しつつ、第１光源（７）が発する色によって第１導光部材（１）の外周面（１ａ）が光って見えるようにすることができると共に、第２光源（８，９）が発する色によって第２導光部材（２）の外周面（２ａ）が光って見えるようにすることができる。
【００２８】
請求項４に記載の照明装置（１００）では、受け台（１１）の表面のうち、第１導光部材（１）の他方の端面（１ｃ）に対面する部分が、第１導光部材（１）によって導光された光を反射することができるように、かつ、受け台（１１）の表面のうち、第２導光部材（２）の一方の端面（２ｂ）に対面する部分が、第２導光部材（２）によって導光された光を反射することができるように、受け台（１１）が形成されている。
【００２９】
そのため、請求項４に記載の照明装置（１００）によれば、第１導光部材（１）によって導光され、受け台（１１）に到達した光が受け台（１１）によって吸収されたり、第２導光部材（２）によって導光され、受け台（１１）に到達した光が受け台（１１）によって吸収されたりする場合よりも、第１光源（７）および第２光源（８，９）からの光の利用効率を向上させることができる。
【００３０】
請求項５に記載の照明装置（１００）では、第２導光部材（２）の一方の端面（２ｂ）と他方の端面（２ｃ）との間に延びている貫通穴（４）が第２導光部材（２）に形成されている。更に、第２導光部材（２）の貫通穴（４）の径が、第１導光部材（１）の貫通穴（３）の径以下とされている。また、第２導光部材（２）の貫通穴（４）の中心軸線と第１導光部材（１）の貫通穴（３）の中心軸線とがほぼ一致せしめられている。更に、第２導光部材（２）の他方の端面（２ｃ）との間に隙間（２０）を有するように第２反射手段（１０）が配置されている。
【００３１】
詳細には、請求項５に記載の照明装置（１００）では、第２光源（８，９）からの光の一部が、第１導光部材（１）の貫通穴（３）および第２導光部材（２）の貫通穴（４）を透過せしめられ、第２反射手段（１０）によって反射され、第２反射手段（１０）と第２導光部材（２）の他方の端面（２ｃ）との間の隙間（２０）および第２導光部材（２）の他方の端面（２ｃ）を介して第２導光部材（２）に入射する。
【００３２】
そのため、請求項５に記載の照明装置（１００）によれば、第２光源（８，９）からの光が第２導光部材（２）の他方の端面（２ｃ）から第２導光部材（２）に入射しない場合よりも、第２導光部材（２）の外周面（２ａ）のうち、第２導光部材（２）の他方の端面（２ｃ）の側の部分の明るさを向上させることができる。
【００３３】
請求項６に記載の照明装置（１００）では、第２導光部材（２）の内周面（２ｄ）に第３反射手段（６）が設けられている。また、第２光源（８，９）からの光のうち、第２導光部材（２）の貫通穴（４）を介して第２導光部材（２）の内周面（２ｄ）に到達した光が、第３反射手段（６）によって第２導光部材（２）の他方の端面（２ｃ）の側に反射される。更に、第２導光部材（２）の一方の端面（２ｂ）からの光のうち、第２導光部材（２）の内周面（２ｄ）に到達した光が、第３反射手段（６）によって第２導光部材（２）の外周面（２ａ）の側に反射される。また、第２導光部材（２）の他方の端面（２ｃ）からの光のうち、第２導光部材（２）の内周面（２ｄ）に到達した光が、第３反射手段（６）によって第２導光部材（２）の外周面（２ａ）の側に反射される。
【００３４】
そのため、請求項６に記載の照明装置（１００）によれば、第２導光部材（２）の内周面（２ｄ）に到達した第２光源（８，９）からの光が第２導光部材（２）の内周面（２ｄ）に吸収されてしまう場合や、第２導光部材（２）の内周面（２ｄ）に到達した第２導光部材（２）の一方の端面（２ｂ）からの光が第２導光部材（２）の内周面（２ｄ）に吸収されてしまう場合や、第２導光部材（２）の内周面（２ｄ）に到達した第２導光部材（２）の他方の端面（２ｃ）からの光が第２導光部材（２）の内周面（２ｄ）に吸収されてしまう場合よりも、第２光源（８，９）からの光の利用効率を向上させることができる。
【００３５】
請求項７に記載の照明装置（１００）では、第１導光部材（１）および第２導光部材（２）が無色の材料によって形成されている。更に、第１反射手段（５）および第３反射手段（６）が乳白色の材料によって形成されているか、あるいは、第１反射手段（５）および第３反射手段（６）の表面が乳白色に着色されている。そのため、請求項７に記載の照明装置（１００）によれば、第１光源（７）および第２光源（８，９）の消灯時に第１導光部材（１）の外周面（１ａ）および第２導光部材（２）の外周面（２ａ）を乳白色に見せることができる。
【図面の簡単な説明】
【００３６】
【図１】第１の実施形態の照明装置１００の概略的な断面図である。
【図２】第１の実施形態の照明装置１００の概略的な分解斜視図である。
【図３】図１および図２に示す回路基板１４および光源７，８，９の概略的な平面図である。
【図４】第１の実施形態の照明装置１００の構成部品の概略的な部品図である。
【図５】第１の実施形態の照明装置１００の構成部品の概略的な部品図である。
【図６】第１の実施形態の照明装置１００の構成部品の概略的な部品図である。
【図７】第１の実施形態の照明装置１００の構成部品の概略的な部品図である。
【図８】第１の実施形態の照明装置１００の構成部品の概略的な部品図である。
【図９】第１の実施形態の照明装置１００の構成部品の概略的な部品図である。
【図１０】第１の実施形態の照明装置１００内を進む光Ｌａ，Ｌｂ，Ｌｃ，Ｌｄ，Ｌｅ，Ｌｆ，Ｌｇ，Ｌｈ，Ｌｉ，Ｌｊ，Ｌｋ，Ｌｌ，Ｌｍ，Ｌｎ，Ｌｏを示した図である。
【図１１】第１の実施形態の照明装置１００内を進む光Ｌａ，Ｌｂ，Ｌｃ，Ｌｄ，Ｌｅ，Ｌｆ，Ｌｇ，Ｌｈ，Ｌｉ，Ｌｊ，Ｌｋ，Ｌｌ，Ｌｍ，Ｌｎ，Ｌｏを示した図である。
【図１２】第７の実施形態の照明装置１００の概略的な断面図である。
【図１３】第７の実施形態の照明装置１００内を進む光Ｌａ，Ｌｃ，Ｌｉ，Ｌｐを示した図である。
【発明を実施するための形態】
【００３７】
以下、本発明の照明装置の第１の実施形態について説明する。図１は第１の実施形態の照明装置１００の概略的な断面図である。詳細には、図１は照明装置１００の中心軸線ＣＬを含む平面に沿った第１の実施形態の照明装置１００の概略的な断面図である。図２は第１の実施形態の照明装置１００の概略的な分解斜視図である。図３は図１および図２に示す回路基板１４および光源７，８，９の概略的な平面図である。図４〜図９は第１の実施形態の照明装置１００の構成部品の概略的な部品図である。詳細には、図４（Ａ）は導光部材１の平面図、図４（Ｂ）は導光部材１の正面図、図４（Ｃ）は導光部材１の底面図、図４（Ｄ）は導光部材１の中心軸線を含む平面に沿った導光部材１の断面図である。図５（Ａ）は反射部材５の平面図、図５（Ｂ）は反射部材５の正面図、図５（Ｃ）は反射部材５の中心軸線を含む平面に沿った反射部材５の断面図である。
【００３８】
図６（Ａ）は導光部材２の平面図、図６（Ｂ）は導光部材２の正面図、図６（Ｃ）は導光部材２の底面図、図６（Ｄ）は導光部材２の中心軸線を含む平面に沿った導光部材２の断面図である。図７（Ａ）は反射部材６の平面図、図７（Ｂ）は反射部材６の正面図、図７（Ｃ）は反射部材６の中心軸線を含む平面に沿った反射部材６の断面図である。図８（Ａ）は受け台１１の平面図、図８（Ｂ）は受け台１１の正面図、図８（Ｃ）は受け台１１の底面図、図８（Ｄ）は受け台１１の中心軸線を含む平面に沿った受け台１１の断面図である。図９（Ａ）は反射部材１０の平面図、図９（Ｂ）は反射部材１０の正面図、図９（Ｃ）は反射部材１０の中心軸線を含む平面に沿った反射部材１０の断面図である。図１０および図１１は第１の実施形態の照明装置１００内を進む光Ｌａ，Ｌｂ，Ｌｃ，Ｌｄ，Ｌｅ，Ｌｆ，Ｌｇ，Ｌｈ，Ｌｉ，Ｌｊ，Ｌｋ，Ｌｌ，Ｌｍ，Ｌｎ，Ｌｏを示した図である。
【００３９】
第１の実施形態の照明装置１００では、図１〜図３に示すように、例えばＬＥＤなどのような光源７，８，９が回路基板１４に搭載されている。更に、図１および図２に示すように、光源７からの光を導光する導光部材１と、光源８，９からの光を導光する導光部材２とが、照明装置１００の中心軸線ＣＬの方向に積層して配列されている。
【００４０】
また、第１の実施形態の照明装置１００では、図１、図２および図４に示すように、導光部材１の一方の端面１ｂと他方の端面１ｃとの間に延びている貫通穴３が、導光部材１に形成されている。更に、図１に示すように、光源７が、導光部材１の一方の端面１ｂ（図１、図４（Ｃ）および図４（Ｄ）参照）に対面して配置されている。また、光源８，９が、導光部材１の貫通穴３を隔てて導光部材２の一方の端面２ｂ（図１、図６（Ｃ）および図６（Ｄ）参照）に対面して配置されている。
【００４１】
そのため、第１の実施形態の照明装置１００では、図１０（Ａ）に示すように、光源７からの光Ｌａが導光部材１の一方の端面１ｂ（図１、図４（Ｃ）および図４（Ｄ）参照）を介して導光部材１に入射する。次いで、導光部材１によって導光された光Ｌｂが導光部材１の外周面１ａ（図１、図４（Ｂ）および図４（Ｄ）参照）から出射する。また、光源８，９からの光Ｌｃが、導光部材１の貫通穴３を透過せしめられ、導光部材２の一方の端面２ｂ（図１、図６（Ｃ）および図６（Ｄ）参照）を介して導光部材２に入射する。次いで、導光部材２によって導光された光Ｌｄが導光部材２の外周面２ａ（図１、図６（Ｂ）および図６（Ｄ）参照）から出射する。
【００４２】
換言すれば、第１の実施形態の照明装置１００では、図１に示すように、光源８，９と導光部材２の一方の端面２ｂとの間に導光部材１の貫通穴３が配置され、光源８，９と導光部材２の一方の端面２ｂとが離間せしめられている。そのため、第１の実施形態の照明装置１００によれば、図１〜図３に示すように、導光部材１が光って見えるようにするための光源７と導光部材２が光って見えるようにするための光源８，９とを近接させて配置することができる。つまり、第１の実施形態の照明装置１００によれば、導光部材１が光って見えるようにするための光源７と導光部材２が光って見えるようにするための光源８，９とが照明装置１００の中心軸線ＣＬの方向に離間せしめられている場合よりも、光源７，８，９に対する給電構造を簡素化することができる。
【００４３】
更に、第１の実施形態の照明装置１００では、図１に示すように、導光部材１の内周面１ｄ（図４（Ｄ）参照）に反射部材５が設けられている。詳細には、概略筒状の反射部材５（図５参照）が導光部材１の内周面１ｄに隣接して配置されている。また、図１０（Ｂ）に示すように、光源７からの光Ｌａのうち、導光部材１の内周面１ｄ（図１および図４（Ｄ）参照）に到達した光Ｌａが、反射部材５（図１および図５参照）によって導光部材１の外周面１ａ（図１、図４（Ｂ）および図４（Ｄ）参照）の側に反射され、反射光Ｌｅとなって導光部材１内を進む。更に、光源８，９からの光Ｌｃのうち、導光部材１の内周面１ｄに到達した光Ｌｃが、反射部材５によって導光部材２の一方の端面２ｂ（図１、図６（Ｃ）および図６（Ｄ）参照）の側に反射され、反射光Ｌｆとなって貫通穴３（図１参照）内を進む。
【００４４】
そのため、第１の実施形態の照明装置１００によれば、導光部材１の内周面１ｄ（図１および図４（Ｄ）参照）に到達した光源７からの光Ｌａが導光部材１の内周面１ｄに吸収されてしまう場合や、導光部材１の内周面１ｄに到達した光源８，９からの光Ｌｃが導光部材１の内周面１ｄに吸収されてしまう場合よりも、光源７，８，９からの光Ｌａ，Ｌｃの利用効率を向上させることができる。
【００４５】
第１の実施形態の照明装置１００では、概略筒状の反射部材５（図５参照）が導光部材１の内周面１ｄに隣接して配置されているが、第２の実施形態の照明装置１００では、代わりに、例えばアルミニウム蒸着、塗装などによって導光部材１の内周面１ｄに反射膜を形成することも可能である。
【００４６】
詳細には、第１の実施形態の照明装置１００では、図１および図２に示すように、光源７，８，９が同一平面上に配置されている。そのため、第１の実施形態の照明装置１００によれば、光源７，８，９が異なる平面上に配置されている場合よりも、光源７，８，９に対する給電構造を簡素化することができる。つまり、第１の実施形態の照明装置１００によれば、フレキシブル基板を用いることなく、光源７，８，９を同一の回路基板１４に搭載することができる。
【００４７】
また、第１の実施形態の照明装置１００では、光源７が発する色と光源８，９が発する色とが異ならされている。更に、図１に示すように、導光部材１の他方の端面１ｃ（図４（Ａ）および図４（Ｄ）参照）と導光部材２の一方の端面２ｂ（図６（Ｃ）および図６（Ｄ）参照）の一部とを接合するための受け台１１（図８参照）が、導光部材１の他方の端面１ｃと導光部材２の一方の端面２ｂの一部との間に配置されている。また、受け台１１の少なくとも一部が遮光性材料によって形成され、それにより、導光部材１によって導光された光Ｌｋ（図１１（Ａ）参照）と導光部材２によって導光された光Ｌｍ（図１１（Ａ）参照）とが混ざり合うことが阻止される。
【００４８】
そのため、第１の実施形態の照明装置１００によれば、光源７が発する色と光源８，９が発する色とが混ざってしまうことを回避しつつ、光源７が発する色によって導光部材１の外周面１ａ（図１、図４（Ｂ）および図４（Ｄ）参照）が光って見えるようにすることができると共に、光源８，９が発する色によって導光部材２の外周面２ａ（図１、図６（Ｂ）および図６（Ｄ）参照）が光って見えるようにすることができる。
【００４９】
更に、第１の実施形態の照明装置１００では、図１および図１１（Ａ）に示すように、受け台１１（図８参照）の表面のうち、導光部材１の他方の端面１ｃ（図４（Ａ）および図４（Ｄ）参照）に対面する部分１１ａ（図８（Ｃ）および図８（Ｄ）参照）が、導光部材１によって導光された光Ｌｋ（図１１（Ａ）参照）を反射することができるように、かつ、受け台１１の表面のうち、導光部材２の一方の端面２ｂ（図６（Ｃ）および図６（Ｄ）参照）に対面する部分１１ｂ（図８（Ａ）および図８（Ｄ）参照）が、導光部材２によって導光された光Ｌｍ（図１１（Ａ）参照）を反射することができるように、受け台１１が形成されている。
【００５０】
つまり、第１の実施形態の照明装置１００では、図１１（Ａ）に示すように、導光部材１によって導光された光Ｌｋが、受け台１１（図８参照）の表面のうち、導光部材１の他方の端面１ｃ（図４（Ａ）および図４（Ｄ）参照）に対面する部分１１ａ（図８（Ｃ）および図８（Ｄ）参照）によって反射され、反射光Ｌｌとなって導光部材１内を進む。更に、導光部材２によって導光された光Ｌｍが、受け台１１（図８参照）の表面のうち、導光部材２の一方の端面２ｂ（図６（Ｃ）および図６（Ｄ）参照）に対面する部分１１ｂ（図８（Ａ）および図８（Ｄ）参照）によって反射され、反射光Ｌｎとなって導光部材２内を進む。
【００５１】
そのため、第１の実施形態の照明装置１００によれば、導光部材１によって導光され、受け台１１に到達した光Ｌｋが受け台１１によって吸収されたり、導光部材２によって導光され、受け台１１に到達した光Ｌｍが受け台１１によって吸収されたりする場合よりも、光源７，８，９からの光Ｌａ，Ｌｃの利用効率を向上させることができる。
【００５２】
また、第１の実施形態の照明装置１００では、図１および図６に示すように、導光部材２の一方の端面２ｂと他方の端面２ｃとの間に延びている貫通穴４が導光部材２に形成されている。更に、図１に示すように、導光部材２の貫通穴４の径が、導光部材１の貫通穴３の径よりも小さくされている。また、導光部材２の貫通穴４の中心軸線と導光部材１の貫通穴３の中心軸線とがほぼ一致せしめられている。更に、導光部材２の他方の端面２ｃとの間に隙間２０を有するように反射部材１０（図９参照）が配置されている。
【００５３】
詳細には、第１の実施形態の照明装置１００では、図１１（Ａ）に示すように、光源８，９からの光Ｌｃの一部が、導光部材１の貫通穴３、受け台１１の貫通穴１１ｃ（図８参照）および導光部材２の貫通穴４を透過せしめられ、反射部材１０の下面１０ａ（図９（Ｃ）参照）によって反射されて反射光Ｌｊとなって、反射部材１０の下面１０ａと導光部材２の他方の端面２ｃ（図６（Ａ）および図６（Ｄ）参照）との間の隙間２０および導光部材２の他方の端面２ｃを介して導光部材２に入射する。
【００５４】
そのため、第１の実施形態の照明装置１００によれば、光源８，９からの光Ｌｊが導光部材２の他方の端面２ｃから導光部材２に入射しない場合よりも、導光部材２の外周面２ａのうち、導光部材２の他方の端面２ｃの側（図１、図１０（Ａ）および図１１（Ａ）の上側）の部分の明るさを向上させることができ、それにより、導光部材２の外周面２ａの全体が均一に光って見えるようにすることができる。
【００５５】
更に、第１の実施形態の照明装置１００では、図１に示すように、導光部材２の内周面２ｄ（図６（Ｄ）参照）に反射部材６が設けられている。また、図１０（Ｂ）に示すように、光源８，９からの光Ｌｃのうち、導光部材２の貫通穴４（図１参照）を介して導光部材２の内周面２ｄに到達した光Ｌｃが、反射部材６によって導光部材２の他方の端面２ｃの側に反射され、反射光Ｌｇとなって貫通穴４内を進む。更に、図１０（Ｂ）に示すように、導光部材２の一方の端面２ｂ（図１参照）からの光Ｌｉのうち、導光部材２の内周面２ｄに到達した光Ｌｉが、反射部材６によって導光部材２の外周面２ａの側に反射され、反射光Ｌｈとなって導光部材２内を進む。また、図１１（Ｂ）に示すように、導光部材２の他方の端面２ｃからの光Ｌｊのうち、導光部材２の内周面２ｄに到達した光Ｌｊが、反射部材６によって導光部材２の外周面２ａの側に反射され、反射光Ｌｏとなって導光部材２内を進む。
【００５６】
そのため、第１の実施形態の照明装置１００によれば、導光部材２の内周面２ｄに到達した光源８，９からの光Ｌｃが導光部材２の内周面２ｄに吸収されてしまう場合や、導光部材２の内周面２ｄに到達した導光部材２の一方の端面２ｂからの光Ｌｉが導光部材２の内周面２ｄに吸収されてしまう場合や、導光部材２の内周面２ｄに到達した導光部材２の他方の端面２ｃからの光Ｌｊが導光部材２の内周面２ｄに吸収されてしまう場合よりも、光源８，９からの光Ｌｃの利用効率を向上させることができる。
【００５７】
第１の実施形態の照明装置１００では、概略筒状の反射部材６（図７参照）が導光部材２の内周面２ｄに隣接して配置されているが、第３の実施形態の照明装置１００では、代わりに、例えばアルミニウム蒸着、塗装などによって導光部材２の内周面２ｄに反射膜を形成することも可能である。
【００５８】
また、第１の実施形態の照明装置１００では、図１に示すように、導光部材１，２が無色の材料によって形成されている。更に、反射部材５，６が乳白色の材料によって形成されているか、あるいは、反射部材５，６の表面が乳白色に着色されている。そのため、第１の実施形態の照明装置１００によれば、光源７および光源８，９の消灯時に導光部材１の外周面１ａおよび導光部材２の外周面２ａが乳白色に見えるようにすることができる。
【００５９】
第１の実施形態の照明装置１００では、反射部材５，６の表面の色が乳白色に設定されているが、第４の実施形態の照明装置１００では、代わりに、反射部材５，６の表面を鏡面（銀色）に設定することも可能である。
【００６０】
詳細には、第１の実施形態の照明装置１００では、導光部材１の内部に散乱子が混入されている。更に、光源７の点灯時に、導光部材１の外周面１ａの全体が均一に光って見えるように、散乱子の濃度、大きさなどが調整されている。同様に、導光部材２の内部に散乱子が混入されている。更に、光源８，９の点灯時に、導光部材２の外周面２ａの全体が均一に光って見えるように、散乱子の濃度、大きさなどが調整されている。
【００６１】
第１の実施形態の照明装置１００では、導光部材１，２の内部に散乱子が混入されているが、第５の実施形態の照明装置１００では、代わりに、導光部材１，２の内部に散乱子を混入せず、導光部材１の外周面１ａおよび内周面１ｄ並びに導光部材２の外周面２ａおよび内周面２ｄに例えばプリズム形状、ドットグラデーション処理、ブラスト処理などの凹凸を施すことによって、光源７の点灯時に導光部材１の外周面１ａの全体が均一に光って見えるようにすると共に、光源８，９の点灯時に導光部材２の外周面２ａの全体が均一に光って見えるようにすることも可能である。
【００６２】
また、第１の実施形態の照明装置１００では、図１に示すように、導光部材１と受け台１１とが、例えば透明な両面テープ、接着剤などのような接合材１３によって接合されている。また、導光部材２と受け台１１とが、例えば透明な両面テープ、接着剤などのような接合材１２によって接合されている。
【００６３】
第１の実施形態の照明装置１００では、光源７が発する色と光源８，９が発する色とが異ならされているが、第６の実施形態の照明装置１００では、複数の光源７のうちの幾つかが発する色と、複数の光源７のうちの残りが発する色とを異ならせると共に、光源８が発する色と、光源９が発する色とを異ならせることも可能である。
【００６４】
以下、本発明の照明装置の第７の実施形態について説明する。第７の実施形態の照明装置１００は、後述する点を除き、上述した第１の実施形態の照明装置１００とほぼ同様に構成されている。従って、第７の実施形態の照明装置１００によれば、後述する点を除き、上述した第１の実施形態の照明装置１００とほぼ同様の効果を奏することができる。図１２は第７の実施形態の照明装置１００の概略的な断面図である。詳細には、図１２は照明装置１００の中心軸線ＣＬを含む平面に沿った第７の実施形態の照明装置１００の概略的な断面図である。図１３は第７の実施形態の照明装置１００内を進む光Ｌａ，Ｌｃ，Ｌｉ，Ｌｐを示した図である。
【００６５】
第１の実施形態の照明装置１００では、図１に示すように、導光部材２に貫通穴４が形成されているが、第７の実施形態の照明装置１００では、図１２に示すように、導光部材２に貫通穴が形成されていない。また、第１の実施形態の照明装置１００では、図１に示すように、導光部材２の他方の端面２ｃと反射部材１０との間に隙間２０が形成されているが、第７の実施形態の照明装置１００では、図１２に示すように、導光部材２の他方の端面２ｃと反射部材１０との間に隙間が形成されていない。
【００６６】
詳細には、第７の実施形態の照明装置１００においても、第１の実施形態の照明装置１００と同様に、図１３に示すように、光源７からの光Ｌａが導光部材１の一方の端面１ｂ（図１２参照）を介して導光部材１に入射する。次いで、導光部材１によって導光された光Ｌｂ（図１０（Ａ）参照）が導光部材１の外周面１ａから出射する。また、光源８，９からの光Ｌｃが、導光部材１の貫通穴３を透過せしめられ、導光部材２の一方の端面２ｂを介して導光部材２に入射する。次いで、導光部材２によって導光された光Ｌｄ（図１０（Ａ）参照）が導光部材２の外周面２ａから出射する。
【００６７】
更に、第７の実施形態の照明装置１００では、図１３に示すように、光源８，９からの光Ｌｃの一部が、導光部材１の貫通穴３、受け台１１の貫通穴１１ｃ（図８参照）を透過せしめられ、導光部材２の一方の端面２ｂを介して導光部材２に入射し、次いで、導光部材２の他方の端面２ｃに到達した光Ｌｉが、反射部材１０によって反射され、反射光Ｌｐとなって導光部材２内を進む。
【００６８】
第８の実施形態では、上述した第１から第７の実施形態を適宜組み合わせることも可能である。
【産業上の利用可能性】
【００６９】
本発明の照明装置は、例えば信号灯、警告灯などに適用可能である。
【符号の説明】
【００７０】
１，２                  導光部材
１ａ，２ａ              外周面
１ｂ，１ｃ，２ｂ，２ｃ  端面
１ｄ，２ｄ              内周面
３，４                  貫通穴
５，６                  反射部材
７，８，９              光源
１００                  照明装置
【図１】
2011070808.tif 000003
【図２】
2011070808.tif 000004
【図３】
2011070808.tif 000005
【図４】
2011070808.tif 000006
【図５】
2011070808.tif 000007
【図６】
2011070808.tif 000008
【図７】
2011070808.tif 000009
【図８】
2011070808.tif 000010
【図９】
2011070808.tif 000011
【図１０】
2011070808.tif 000012
【図１１】
2011070808.tif 000013
【図１２】
2011070808.tif 000014
【図１３】
2011070808.tif 000015